(57)【要約】【課題】Ｘ線の検出範囲を精度良く設定すること。【解決手段】Ｘ線検出器１８は、Ｘ線を検出する矩形状の検出面３１を有する。検出面３１の左脇には、検出面３１の長辺方向と平行に、検出面３１に沿って、スイッチ列３２が配置されている。スイッチ列３２は、複数の押しボタンスイッチ３４から構成される。押しボタンスイッチ３４は、押下されることでオンされる。二箇所の押しボタンスイッチ３４がオンされることで、オンされた一方の押しボタンスイッチ３４の高さが検出範囲の長辺方向の一端となるとともに、他方の押しボタンスイッチ３４の高さが検出範囲の長辺方向の他端となる。斜線で示した箇所が検出範囲となる。【選択図】図２
2011062345.tif 000002
【特許請求の範囲】
【請求項１】
設定された検出範囲で放射線を検出する検出面を有した放射線検出器と、
前記検出面の第一方向の検出範囲を設定する第一設定手段、及び前記検出面の第一方向に対して垂直な第二方向の検出範囲を設定する第二設定手段の少なくともいずれか一つの設定手段とを備えたことを特徴とする放射線検出装置。
【請求項２】
前記設定手段は、前記検出面の一方向と平行に複数のスイッチが配列されたスイッチ列であることを特徴とする請求項２に記載の放射線検出装置。
【請求項３】
前記設定手段は、前記検出面の一方向に往復移動する二つのスライダを備えたリニアポテンショメータであり、一方のスライダが前記検出面の検出範囲の一端を設定するとともに他方のスライダが前記検出面の検出範囲の他端を設定することを特徴とする請求項１に記載の放射線検出装置。
【請求項４】
前記設定手段は、前記第一設定手段の一つだけであり、
ユーザーインターフェースから入力された、前記検出面の第一方向に対して垂直な第二方向の検出範囲を設定する値を受け付ける受付手段を備えたことを特徴とする請求項１〜３のいずれかに記載の放射線検出装置。
【請求項５】
前記設定手段は、前記検出面の一方向の長さと略同一の長さを有していることを特徴とする請求項１〜４のいずれかに記載の放射線検出装置。
【請求項６】
前記設定手段は、前記検出面の一方向に沿って両側に設けられていることを特徴とする請求項１〜５のいずれかに記載の放射線検出装置。
【請求項７】
前記設定手段は、前記放射線検出器の前記検出面と反対の背面側に設けられていることを特徴とする請求項１〜６のいずれかに記載の放射線検出装置。
【請求項８】
前記設定手段は、前記放射線検出器の側面側に設けられていることを特徴とする請求項１〜６のいずれかに記載の放射線検出装置。
【請求項９】
前記設定手段で設定された前記検出面の検出範囲を表示する表示手段を備えたことを特徴とする請求項１〜８のいずれかに記載の放射線検出装置。
【請求項１０】
前記表示手段は、前記検出面の一方向と平行に複数の発光部が配列された発光部列であることを特徴とする請求項９に記載の放射線検出装置。
【請求項１１】
前記発光部列は、前記検出範囲の一端と他端に対応する発光部が発光することを特徴とする請求項１０に記載の放射線検出装置。
【請求項１２】
前記発光部列は、前記検出範囲の一端と他端に対応する発光部とともにそれらの間に配列された発光部が発光することを特徴とする請求項１１に記載の放射線検出装置。
【請求項１３】
前記検出面は、複数のセンサーユニットからなり、
前記スイッチ列を構成するスイッチは、前記センサーユニットの幅と同じ間隔で均等に配列されていることを特徴とする請求項２に記載の放射線検出装置。
【請求項１４】
前記検出面は、複数のセンサーユニットからなり、
前記スイッチ列を構成するスイッチは、前記複数のセンサーユニットの境界線上に配列されていることを特徴とする請求項２に記載の放射線検出装置。
【請求項１５】
前記スイッチ列は、二箇所のスイッチがオンされた場合に、オンされた一方のスイッチが前記検出面の検出範囲の一方向の一端を設定するとともにオンされた他方のスイッチが前記検出面の検出範囲の一方向の他端を設定することを特徴とする請求項２に記載の放射線検出装置。
【請求項１６】
前記スイッチ列は、四箇所のスイッチがオンされた場合に、オンされた一端のスイッチが前記検出面の検出範囲の一方向の一端を、オンされた他端のスイッチが前記検出面の検出範囲の一方向の他端をそれぞれ設定するとともに、オンされた残りの一方のスイッチが検出を除外する範囲の一方向の一端を、オンされた残りの他方のスイッチが検出を除外する範囲の一方向の他端をそれぞれ設定することを特徴とする請求項２に記載の放射線検出装置。
【請求項１７】
前記スイッチ列を構成するスイッチは、押しボタンスイッチ、光センサースイッチ、磁気センサースイッチ、静電容量タッチスイッチ、圧力センサースイッチのうちいずれかであることを特徴とする請求項２に記載の放射線検出装置。
【請求項１８】
前記設定手段は、前記放射線検出器又は被検体に取り付けられるマーカと、前記マーカを撮影する撮影手段とからなり、撮影したマーカに基づいて前記検出面の一方向の検出範囲を設定することを特徴とする請求項１に記載の放射線検出装置。
【請求項１９】
請求項２に記載の放射線検出装置と、
前記放射線検出装置に放射線を照射する放射線発生器と、
前記設定手段で設定された前記検出面の検出範囲を取得して、取得した前記検出面の検出範囲が放射線の照射範囲となるように前記放射線発生器を制御するコントローラとを備えたことを特徴とする放射線撮影システム。
【請求項２０】
前記放射線検出器は、前記設定手段で設定された前記検出面の検出範囲で検出された放射線に基づく画像データを取得することを特徴とする請求項１９に記載の放射線撮影システム。
【請求項２１】
前記コントローラは、前記スイッチ列の一箇所のスイッチがオンされるとともに、オンされたスイッチとは別にそのスイッチと間隔をおいた二箇所以上連続したスイッチがオンされた場合に、放射線の照射角度が傾くように前記放射線発生器を制御することを特徴とする請求項１９又は２０に記載の放射線撮影システム。
【請求項２２】
前記コントローラは、撮影条件に基づいて前記検出面の検出範囲を初期設定し、
前記設定手段は、初期設定の範囲を変更して前記検出面の検出範囲を設定することを特徴とする請求項１９〜２１のいずれかに記載の放射線撮影システム。
【請求項２３】
前記設定手段とは別に、前記設定手段で設定された前記検出面の検出範囲を調整する信号を入力する入力手段を備えたことを特徴とする請求項１９〜２２のいずれかに記載の放射線撮影システム。
【発明の詳細な説明】
【技術分野】
【０００１】
本発明は、被検体に照射された放射線を検出する放射線検出装置及びこれを備えた放射線撮影システムに関する。
【背景技術】
【０００２】
被検体となる者（被検者）に向けてＸ線（放射線）を照射するＸ線発生器、及び被検者を透過したＸ線を検出するＸ線検出器からなるＸ線撮影システムが知られている。Ｘ線撮影システムは、Ｘ線撮影室に設置されており、医師や診療放射線技師などのスタッフは、撮影位置に被検者を誘導してから、Ｘ線撮影室外で撮影操作を行う。
【０００３】
Ｘ線検出器には、イメージングプレート（Imaging Plate：以下、ＩＰと称す）やフラットパネルディテクタ（Flat Panel Detector：以下、ＦＰＤと称す）が用いられるようになり、放射線画像のデジタル化が進んでいる。また、複数枚のＩＰを収容して、全脊椎や全下肢を一度に撮影できるようにした大型の長尺カセッテがある（非特許文献１参照）。長尺カセッテに代わるものとして、ＦＰＤの大型化も予想される。
【先行技術文献】
【非特許文献】
【０００４】
【非特許文献１】”長尺カセッテ”、［online］、富士フイルム株式会社、［平成２１年９月１日検索］、インターネット（ＵＲＬ：http://fujifilm.jp/business/medical/digital/fcr/ipc/lcassette/index.html）
【発明の概要】
【発明が解決しようとする課題】
【０００５】
Ｘ線撮影システムの運用上の理由等により、大型のＸ線検出器の一部を使用して撮影を行うことがある。その際、Ｘ線検出器に対する撮影範囲の指定は、Ｘ線発生器から照射されるＸ線の照射野の調整によって行われるので、Ｘ線検出器の一部のデータを得るためにＸ線検出器全体のデータを取得しなければならず、データ量が膨大となり管理上都合が悪い。このため、Ｘ線の検出範囲を必要最小限に留め、取得するデータ量を少なくすることが望まれる。
【０００６】
Ｘ線の検出範囲は、Ｘ線検出器から離れたＸ線発生器側、あるいはＸ線撮影室外で遠隔設定する場合と比較すると、Ｘ線検出器の傍で設定する場合、精度良く行うことができる。また、立位撮影を行う場合には、Ｘ線検出器の傍に立たせた被検者をスタッフが介助しながらＸ線の検出範囲を設定する必要がある。このため、Ｘ線検出器側でＸ線の検出範囲を設定できる方が、利便性が高い。
【０００７】
本発明は、上記課題を鑑みてなされたものであり、放射線検出装置及び放射線検出システムにおいて、Ｘ線の検出範囲を精度良く設定することを目的とする。
【課題を解決するための手段】
【０００８】
上記目的を達成するために、本発明の放射線検出装置は、設定された検出範囲で放射線を検出する検出面を有した放射線検出器と、前記検出面の第一方向の検出範囲を設定する第一設定手段、及び前記検出面の第一方向に対して垂直な第二方向の検出範囲を設定する第二設定手段の少なくともいずれか一つの設定手段とを備えていることを特徴とする。
【０００９】
前記設定手段は、前記検出面の一方向と平行に複数のスイッチが配列されたスイッチ列であることが好ましい。
【００１０】
前記設定手段は、前記検出面の一方向に往復移動する二つのスライダを備えたリニアポテンショメータであり、一方のスライダが前記検出面の検出範囲の一端を設定するとともに他方のスライダが前記検出面の検出範囲の他端を設定することが好ましい。
【００１１】
前記設定手段は、前記第一設定手段の一つだけであり、ユーザーインターフェースから入力された、前記検出面の第一方向に対して垂直な第二方向の検出範囲を設定する値を受け付ける受付手段を備えていることが好ましい。
【００１２】
前記設定手段は、前記検出面の一方向の長さと略同一の長さを有していることが好ましい。
【００１３】
前記設定手段は、前記検出面の一方向に沿って両側に設けられていることが好ましい。
【００１４】
前記設定手段は、前記放射線検出器の前記検出面と反対の背面側に設けられていることが好ましい。または、前記設定手段は、前記放射線検出器の側面側に設けられていることが好ましい。
【００１５】
前記設定手段で設定された前記検出面の検出範囲を表示する表示手段を備えていることが好ましい。
【００１６】
前記表示手段は、前記検出面の一方向と平行に複数の発光部が配列された発光部列であることが好ましい。
【００１７】
前記第一発光部列は、前記検出範囲の一端と他端に対応する発光部が発光することが好ましい。
【００１８】
前記発光部列は、前記検出範囲の一端と他端に対応する発光部とともにそれらの間に配列された発光部が発光することが好ましい。
【００１９】
前記検出面は、複数のセンサーユニットからなり、前記スイッチ列を構成するスイッチは、前記センサーユニットの幅と同じ間隔で均等に配列されていることが好ましい。また、前記スイッチ列を構成するスイッチは、前記複数のセンサーユニットの境界線上に配列されていることが好ましい。
【００２０】
前記スイッチ列は、二箇所のスイッチがオンされた場合に、オンされた一方のスイッチが前記検出面の検出範囲の一方向の一端を設定するとともにオンされた他方のスイッチが前記検出面の検出範囲の一方の他端を設定することが好ましい。
【００２１】
前記スイッチ列は、四箇所のスイッチがオンされた場合に、オンされた一端のスイッチが前記検出面の検出範囲の一方向の一端を、オンされた他端のスイッチが前記検出面の検出範囲の一方向の他端をそれぞれ設定するとともに、オンされた残りの一方のスイッチが検出を除外する範囲の一方向の一端を、オンされた残りの他方のスイッチが検出を除外する範囲の一方向の他端をそれぞれ設定することが好ましい。
【００２２】
前記スイッチ列を構成するスイッチは、押しボタンスイッチ、光センサースイッチ、磁気センサースイッチ、静電容量タッチスイッチ、圧力センサースイッチのうちいずれかであることが好ましい。
【００２３】
前記設定手段は、前記放射線検出器又は被検体に取り付けられるマーカと、前記マーカを撮影する撮影手段とからなり、撮影したマーカに基づいて前記検出面の一方向の検出範囲を設定することが好ましい。
【００２４】
本発明の放射線撮影システムは、上記放射線検出装置と、前記放射線検出装置に放射線を照射する放射線発生器と、前記設定手段で設定された前記検出面の検出範囲を取得して、取得した前記検出面の検出範囲が放射線の照射範囲となるように前記放射線発生器を制御するコントローラとを備えていることを特徴とする。
【００２５】
前記放射線検出器は、前記設定手段で設定された前記検出面の検出範囲で検出された放射線に基づく画像データを取得することが好ましい。
【００２６】
前記コントローラは、前記スイッチ列の一箇所のスイッチがオンされるとともに、オンされたスイッチとは別にそのスイッチと間隔をおいた二箇所以上連続したスイッチがオンされた場合に、放射線の照射角度が傾くように前記放射線発生器を制御することが好ましい。
【００２７】
前記コントローラは、撮影条件に基づいて前記検出面の検出範囲を初期設定し、前記設定手段は、初期設定の範囲を変更して前記検出面の検出範囲を設定することが好ましい。
【００２８】
前記設定手段とは別に、前記設定手段で設定された前記検出面の検出範囲を調整する信号を入力する入力手段を備えていることが好ましい。
【発明の効果】
【００２９】
本発明によれば、検出面の検出範囲を設定する設定手段が、放射線検出装置に設けられているから、被検体の傍らで検出面の検出範囲を設定することができる。このため、Ｘ線検出器から離れたＸ線発生器側、あるいはＸ線撮影室外で遠隔設定する場合と比較して精度良く行うことができる。
【図面の簡単な説明】
【００３０】
【図１】Ｘ線撮影システムを示す概略図である。
【図２】Ｘ線検出装置の正面図である。
【図３】Ｘ線検出器の動作手順を示すフローチャートである。
【図４】検出範囲の表示態様が異なるＸ線検出器の正面図である。
【図５】長辺方向及び短辺方向の検出範囲が設定可能なＸ線検出器の正面図である。
【図６】スイッチ列毎に４箇所のスイッチがオンされた場合の検出範囲を示すＸ線検出器の正面図である。
【図７】スイッチ列が背面側に設けられたＸ線検出装置の背面図である。
【図８】スイッチ列が上下左右に設けられたＸ線検出器の正面図である。
【図９】スイッチ列が光センサースイッチで構成されたＸ線検出器の斜視図である。
【図１０】スイッチ列が磁気センサースイッチで構成されたＸ線検出器の斜視図である。
【図１１】スイッチ列が静電容量タッチスイッチで構成されたＸ線検出器の斜視図である。
【図１２】スイッチ列が圧力センサースイッチで構成されたＸ線検出器の斜視図である。
【図１３】リニアポテンショメータを備えたＸ線検出器の斜視図である。
【図１４】被検者に付けたマーカを撮影して検出範囲を設定するＸ線撮影システムを示す斜視図である。
【図１５】連続したスイッチがオンされた場合にＸ線の照射角度が傾くことを説明した図である。
【図１６】臥位撮影用のＸ線検出装置の斜視図である。
【発明を実施するための形態】
【００３１】
［第１実施形態］
図１に示すように、Ｘ線（放射線）撮影システム１１は、撮影装置１２、移動装置１３、及び制御ユニット１４からなる立位撮影用であり、病院のＸ線撮影室に設置される。
【００３２】
撮影装置１２は、Ｘ線発生器１５及びＸ線検出装置１６を有する。Ｘ線発生器１５は、Ｘ線を発するＸ線管と、可視光を発する発光部と、Ｘ線及び可視光の照射範囲を限定するＸ線可動絞り（コリメータ）とからなる。Ｘ線発生器１５は、Ｘ線の照射前にＸ線の照射範囲に可視光を照射する。これにより、Ｘ線の照射範囲が確認可能である。
【００３３】
Ｘ線検出装置１６は、床に据え付けられたスタンド１７と、このスタンド１７に取り付けられた長尺形状のＸ線検出器１８とからなる。Ｘ線検出器１８には、イメージングプレート、フラットパネルディテクタなどの周知のものが用いられる。後述するように、Ｘ線検出器１８は、設定された検出範囲でＸ線を検出する。そして、Ｘ線発生器１５は、Ｘ線検出器１８の検出範囲が照射範囲となるようにＸ線を照射する。
【００３４】
撮影装置１２は、Ｘ線発生器１５で発生させたＸ線をＸ線検出器１８で検出することにより、Ｘ線画像を撮影する。Ｘ線発生器１５で発生させるＸ線の量を、通常撮影の１０分の１としたプレ撮影を行うことも可能である。撮影されたＸ線画像は、モニタやデータストレージデバイス（ともに図示省略）に出力される。
【００３５】
Ｘ線発生器１５は、Ｚ軸（鉛直軸）及び水平軸回りに所定角度回転可能なアーム１９を介して、Ｚ軸方向に伸縮する支柱２０の下端に取り付けられている。Ｘ線発生器１５は、アーム１９及び支柱２０によって、ＸＹ平面（水平面）及びＺ軸方向の所望の位置に移動させることができる。
【００３６】
移動装置１３は、Ｘ線発生器１５を、ＸＹ平面及びＺ軸方向の所望の位置に移動させるためのものである。移動装置１３は、一対の固定レール２１と一対の可動レール２２、これらに繋がる一対の走行部２３と台車２４、及び上述したアーム１９と支柱２０からなる。
【００３７】
固定レール２１は、その長手方向がＹ軸に沿うようにＸ線撮影室の天井に固定されている。固定レール２１には、ガイド溝が形成されており、断面が略コの字形状をしている。各固定レール２１は、互いのガイド溝が対向するように配置されている。
【００３８】
可動レール２２は、両側寄りに固定された走行部２３によって、その長手方向がＸ軸に沿うように固定レール２１に移動可能に取り付けられている。可動レール２２には、固定レール２１同様、ガイド溝が形成されている。各可動レール２２は、互いのガイド溝が対向するように配置されている。
【００３９】
各走行部２３は、回転自在なローラ（図示省略）を備えており、このローラが固定レール２１のガイド溝内で回転することにより、固定レール２１に沿って走行する。走行部２３が走行することにより、可動レール２２がＹ軸方向に移動する。
【００４０】
台車２４は、台車本体２５と一対の走行部２６からなる。台車本体２５は、走行部２６によって、可動レール２２に移動可能に取り付けられている。各走行部２６は、回転自在なローラ（図示省略）を備えており、このローラが可動レール２２のガイド溝内で回転することにより、可動レール２２に沿って走行する。走行部２６が走行することにより、台車本体２５がＸ軸方向に移動する。台車２４には、台車本体２５に支柱２０が固定されることによりＸ線発生器１５が搭載される。
【００４１】
Ｘ線発生器１５は、台車２４を介して可動レール２２に移動可能に保持されており、台車２４の移動によりＸ軸方向に移動する。また、Ｘ線発生器１５は、可動レール２２の移動によりＹ軸方向に移動し、支柱２０の伸縮によりＺ軸方向に移動する。さらに、Ｘ線発生器１５は、アーム１９による各軸回りの回動により照射角度が変化する。
【００４２】
Ｘ線発生器１５には、操作部２７が設けられている。操作部２７は、Ｘ線発生器１５の姿勢や位置を変化させるためのハンドルと、各種の操作ボタンが設けられた操作パネルとを有する。Ｘ線発生器１５の回転や移動は、ハンドルの操作により手動で行われる。
【００４３】
操作パネルには、ブレーキ解除ボタンなどの操作ボタンが設けられている。ブレーキは、Ｘ線発生器１５を任意の角度で停止させたり、移動装置１３による移動を規制したりする。ブレーキは、ブレーキ解除ボタンが押下されている間解除される。ブレーキが解除されると、Ｘ線発生器１５の回転や移動が許容される。
【００４４】
制御ユニット１４は、コントローラ２８及び端末２９から構成される。コントローラ２８は、Ｘ線撮影システム１１の各部と、インターフェースを介して接続されている。コントローラ２８は、撮影装置１２や端末２９からの各種信号に基づいて、Ｘ線撮影システム１１全体を統括的に制御する。Ｘ線検出器１８の検出範囲が設定された場合には、その設定された検出範囲を取得して、取得した検出範囲がＸ線の照射範囲となるようにＸ線発生器１５を制御する。
【００４５】
端末２９は、撮影装置１２を操作するためのものであり、Ｘ線撮影室と隣接するオペレイティングルームに設置されている。Ｘ線撮影室とオペレイティングルームとは、含鉛ガラス製の窓で仕切られており、スタッフは、窓越しにＸ線撮影室内の様子を伺いながら端末２９を操作することができる。
【００４６】
図２に示すように、Ｘ線検出器１８は、Ｘ線を検出する矩形状の検出面３１を有し、設定された検出範囲で検出されたＸ線に基づく画像データを取得する。検出面３１は、被検者の略全身をカバーする程度の面積を有している。検出面３１の左脇には、検出面３１の長辺方向と平行に、検出面３１に沿って、スイッチ列３２及び発光部列３３が配置されている。
【００４７】
スイッチ列３２は、複数の押しボタンスイッチ３４が等間隔に配列された構成であり、検出面３１の長辺方向と略同一の長さを有している。押しボタンスイッチ３４は、押下されることでオンされる。オンされている押しボタンスイッチ３４が再び押下されると、オフとなる。押しボタンスイッチ３４は、オンされることで、検出面３１の検出範囲を設定する。
【００４８】
具体的には、二箇所の押しボタンスイッチ３４がオンされることで、オンされた一方の押しボタンスイッチ３４の高さが検出範囲の長辺方向の一端となるとともに、他方の押しボタンスイッチ３４の高さが検出範囲の長辺方向の他端となる。図２は、上から６個目及び１１個目の押しボタンスイッチ３４がオンされた場合を示しており、斜線で示した箇所が検出範囲となる。
【００４９】
二箇所以上の押しボタンスイッチ３４が押下された場合にどの二箇所がオンされるかは、適宜設定可能である。例えば、オンとなる押しボタンスイッチ３４が順次切り替わるように設定する。この場合、三つ目の押しボタンスイッチ３４が押下されると、一つ目に押下された押しボタンスイッチ３４がオフとなり、その代わりに三つ目の押しボタンスイッチ３４がオンされる。そして、四つ目の押しボタンスイッチ３４が押下されると、二つ目に押下された押しボタンスイッチ３４がオフとなり、その代わりに四つ目の押しボタンスイッチ３４がオンされる。五つ目以降が押下された場合、三つ目又は四つ目が押下された場合と同様に切り替わる。
【００５０】
端末２９などを用い、検出範囲の設定方法を変更しておくことで、一箇所の押しボタンスイッチ３４のオンにより、検出範囲を設定することができる。オンされた押しボタンスイッチ３４の高さを中心に、予め設定された長辺方向の幅が検出範囲となる。例えば、上下方向のそれぞれに押しボタンスイッチ３４三個分の幅が予め設定されている場合に、上から１０個目の押しボタンスイッチ３４がオンされると、上から７個目の押しボタンスイッチ３４の高さから、上から１３個面の押しボタンスイッチ３４の高さまでが検出範囲となる。また、オンされた押しボタンスイッチ３４の高さより上又は下の全範囲が検出範囲となるように設定してもよい。なお、押しボタンスイッチ３４は、メンブレンスイッチであることが好ましい。
【００５１】
Ｘ線を検出する検出面３１は、複数画素の信号読出し処理等の処理をするセンサーユニットが複数配置されて構成される。１つのセンサーユニットは１０ｍｍ〜５０ｍｍの幅を持つ。押しボタンスイッチ３４のピッチはこのセンサーユニット１つ分の幅と同じ間隔で配置されることが好ましい。こうすることで、押しボタンスイッチ３４で指定された範囲を画素単位ではなくセンサーユニット単位で切り替えることができるため、読出し制御の処理が簡便となり製造コストをさげることができる。
【００５２】
また、押しボタンスイッチ３４は、並べて配置される複数のセンサーユニットの境界線上にそれぞれ配置されることが好ましい。こうすることで、押しボタンスイッチ３４で指定された範囲と、読出し範囲が正確に一致するため使い勝手がよい。
【００５３】
スイッチ列３２で設定された検出面３１の検出範囲は、端末２９により変更可能となっている。これにより、プレ撮影を実行したスタッフは、Ｘ線撮影室に移動せずにオペレイティングルームで端末２９を操作することで、検出面３１の検出範囲を調整することができる。このように、端末２９は、スイッチ列３２で設定された検出面３１の検出範囲を調整する入力手段として機能する。
【００５４】
発光部列３３は、複数の発光部３５が等間隔に配列された構成であり、各発光部３５は、押しボタンスイッチ３４に一対一で対応する。発光部３５は、対応する押しボタンスイッチ３４がオンされた場合に発光し、検出面３１の検出範囲を表示する。また、発光部３５は、対応する押しボタンスイッチ３４がオンされた状態からオフとなると、発光を停止する。図２は、上から６個目及び１１個目の押しボタンスイッチ３４がオンされた場合を示しており、上から６個目及び１１個目の発光部３５が発光する。
【００５５】
次に、Ｘ線検出装置１６の作用について、図３のフローチャートを参照しながら説明する。一箇所目の押しボタンスイッチ３４がオンされると（ステップ（以下、Ｓと略す）１１）、オンされた押しボタンスイッチ３４に対応する発光部３５が発光する（Ｓ１２）。そして、二箇所目の押しボタンスイッチ３４がオンされると（Ｓ１３）、オンされた押しボタンスイッチ３４に対応する発光部３５が発光する（Ｓ１４）。そして、オンされた二箇所の押しボタンスイッチ３４の高さが検出範囲の長辺方向の両端となり、検出範囲が設定される（Ｓ１５）。
【００５６】
以上説明したように、検出面３１の検出範囲を設定するスイッチ列３２をＸ線検出器１８に設けたから、スタッフが被検者の傍らで検出範囲を設定することができる。これにより、遠隔設定する場合と比較して精度良く行うことができる。
【００５７】
なお、この検出面３１の長辺方向の範囲は、上述したように押しボタンスイッチ３４で設定されるが、短辺方向の範囲は、検出面３１の短辺の幅と同等または短辺の幅より小さい範囲として予め設定されている。この値は、端末２９などのユーザーインターフェースによって設定変更可能である。短辺方向の設定値は、コントローラ２８とＸ線検出器１８とのインターフェースを介してＸ線検出器１８に受け付けられる。このように、コントローラ２８とＸ線検出器１８とのインターフェースは、短辺方向の設定値を受け付ける受付手段として機能する。Ｘ線発生器１５は、押しボタンスイッチ３４で設定された範囲と、ユーザーインターフェースによって設定された短辺方向の値を基に照射範囲を決定する。
【００５８】
または、Ｘ線発生器１５を図１のＸ軸とＹ軸方向に動かさず位置固定して使用するシステムの場合、短辺方向の照射範囲は予め検出面３１の幅を超えないように設定される。この場合、Ｘ線発生器１５は長辺方向の押しボタンスイッチ３４の範囲の設定だけで照射範囲を決定する。
【００５９】
なお、立位撮影用のＸ線検出装置１６の場合を例に説明したが、本発明は、臥位撮影用のものに適用可能である。また、端末２９からの信号、又はコントローラ２８に記憶されている条件に基づいて、検出面３１の検出範囲が初期設定されていてもよい。この場合、スイッチ列３２は、検出範囲の変更に用いられる。
【００６０】
検出面３１の長辺方向の検出範囲を設定する場合を例に説明したが、本発明は、検出面３１の短辺方向の検出範囲を設定する場合にも適用可能である。また、検出面３１が正方形である場合には、一方の辺を長辺と、他方の辺を短辺とそれぞれ仮定し、上記の場合と同様の構成とする。
【００６１】
［第２実施形態］
本実施形態は、発光部３５の発光態様が第１実施形態と異なる。なお、第１実施形態、第２実施形態、及び以下に示す各実施形態で採用した構成は、可能な範囲において、相互で適用されるものとする。
【００６２】
図４に示すように、発光部３５は、第１実施形態と同様、対応する押しボタンスイッチ３４がオンされた場合に発光する。また、二箇所の押しボタンスイッチ３４がオンされた場合には、オンされた押しボタンスイッチ３４に対応する発光部３５とともに、それらの間に配列された発光部３５が発光する。図２は、上から６個目及び１１個目の押しボタンスイッチ３４がオンされた場合を示しており、上から６個目及び１１個目の発光部３５が発光するとともに、それらの間に配列された上から７個目〜１０個目の発光部３５が発光する。なお、第１実施形態と同様の構成、及び作用についての説明は省略する。また、以下の実施形態では、他の実施形態と異なる点だけ説明する。
【００６３】
［第３実施形態］
本実施形態は、検出面３１の長辺方向の検出範囲が設定可能である点に加えて検出面３１の短辺方向の検出範囲が設定可能である点で、第１実施形態と異なる。
【００６４】
図５に示すように、検出面３１の左脇には、検出面３１の長辺方向と平行に、検出面３１に沿って、第一スイッチ列４１及び第一発光部列４２が配置されている。第一スイッチ列４１は、第１実施形態のスイッチ列３２と同様の構成であり、複数の押しボタンスイッチ３４から構成される。第一発光部列４２は、第１実施形態の発光部列３３と同様の構成であり、複数の発光部３５から構成される。
【００６５】
検出面３１の上方には、検出面３１の短辺方向と平行に、検出面３１に沿って、第二スイッチ列４３及び第二発光部列４４が配置されている。第二スイッチ列４３は、第一スイッチ列４１と同様、複数の押しボタンスイッチ４５が等間隔に配列された構成であり、検出面３１の短辺方向と略同一の長さを有している。
【００６６】
二箇所の押しボタンスイッチ４５がオンされることで、オンされた一方の押しボタンスイッチ４５の左右方向の位置が検出範囲の短辺方向の一端となるとともに、他方の押しボタンスイッチ４５の左右方向の位置が検出範囲の短辺方向の他端となる。図５は、左から３個目及び５個目の押しボタンスイッチ４５がオンされた場合を示しており、斜線で示した箇所が検出範囲となる。なお、押しボタンスイッチ４５のピッチは、押しボタンスイッチ３４のピッチと同様、１０ｍｍ〜５０ｍｍであることが好ましい。
【００６７】
第二発光部列４４は、第一発光部列４２と同様、複数の発光部４６が等間隔に配列された構成であり、各発光部４６は、押しボタンスイッチ４５に一対一で対応する。発光部４６は、対応する押しボタンスイッチ４５がオンされることで発光する。図５は、左から３個目及び５個目の押しボタンスイッチ４５がオンされた場合を示しており、左から３個目及び５個目の発光部４６が発光する。
【００６８】
［第４実施形態］
本実施形態は、検出面３１の検出範囲を設定することに加えて検出を除外する範囲を設定する点で、第３実施形態と異なる。押しボタンスイッチ３４は、オンされることで、検出面３１の検出範囲を設定するとともに、検出を除外する範囲を設定する。
【００６９】
具体的には、四箇所の押しボタンスイッチ３４がオンされることで、オンされた一端の押しボタンスイッチ３４の高さが検出範囲の長辺方向の一端となるとともに、オンされた他端の押しボタンスイッチ３４の高さが検出範囲の長辺方向の他端となる。また、オンされた残りの一方の押しボタンスイッチ３４の高さが検出を除外する範囲の長辺方向の一端となるとともに、オンされた残りの他方の押しボタンスイッチ３４の高さが検出を除外する範囲の長辺方向の他端となる。
【００７０】
同様に、四箇所の押しボタンスイッチ４５がオンされることで、オンされた一端の押しボタンスイッチ４５の左右方向の位置が検出範囲の短辺方向の一端となるとともに、オンされた他端の押しボタンスイッチ４５の左右方向の位置が検出範囲の短辺方向の他端となる。また、オンされた残りの一方の押しボタンスイッチ４５の左右方向の位置が検出を除外する範囲の短辺方向の一端となるとともに、オンされた残りの他方の押しボタンスイッチ４５の左右方向の位置が検出を除外する範囲の短辺方向の他端となる。
【００７１】
図６は、上から６個目、７個目、８個目、及び１１個目の押しボタンスイッチ３４がオンされるとともに、左から２個目、４個目、５個目、及び７個目の押しボタンスイッチ４５がオンされた場合を示しており、斜線で示した箇所が検出範囲となる。そして、検出範囲に囲われた無地で示された箇所が検出を除外する範囲となる。なお、除外する範囲は、長辺方向もしくは短辺方向の１辺だけであってもよい。
【００７２】
また、第４実施形態のＸ線撮影システムは、検出範囲と検出を除外する範囲を識別させるために、発光部３５、４６の発光態様を異ならせる点で、第３実施形態と異なる。
【００７３】
検出範囲を設定するためにオンされた押しボタンスイッチ３４に対応する発光部３５は、第一色（例えば、緑色）で発光し、検出を除外する範囲を設定するためにオンされた押しボタンスイッチ３４に対応する発光部３５は、第二色（例えば、赤色）で発光する。発光部４６も発光部３５と同様に発光する。
【００７４】
以上説明したように、第一スイッチ列４１及び第二スイッチ列４３の簡単な操作でＸ線の検出を除外する範囲が設定され、検出面３１の検出範囲にだけＸ線発生器１５によるＸ線が照射されるから、被爆を避けたい箇所（生殖器、目など）の被爆を容易に避けることができる。この場合、Ｘ線発生器１５は、検出範囲を分割してＸ線を照射したり、あるいは、Ｘ線の検出が除外された範囲にフィルターをかけてＸ線を照射したりする。なお、設定した検出範囲が、コリメータで作り出すことができない形状である場合には、警告したり、撮影が実行できないようにしたりする。
【００７５】
［第５実施形態］
本実施形態は、第一スイッチ列４１、第一発光部列４２、第二スイッチ列４３、及び第二発光部列４４の配置が第３実施形態と異なる。
【００７６】
図７に示すように、第一スイッチ列４１及び第二スイッチ列４３は、Ｘ線検出器１８の検出面３１と反対の背面５１側に配置されている。これにより、使い勝手が良い高さに第二スイッチ列４３を配置することができる。なお、第一スイッチ列４１及び第二スイッチ列４３は、Ｘ線検出器１８の側面５２に配置されてもよい。また、Ｘ線検出器１８と被検者との間に衝立を設けた場合には、その衝立第一スイッチ列４１及び第二スイッチ列４３を設けるようにしてもよい。さらに、臥位撮影用に適用した場合には、被検者を寝かせる寝台に設けるようにしてもよい。これらの場合、衝立や寝台は、Ｘ線検出装置１６に含まれるものとする。
【００７７】
第一発光部列４２及び第二発光部列４４は、Ｘ線検出器１８の側面５２に突設されている。これにより、検出面３１側、及び背面５１側から検出範囲を確認することができる。なお、第一発光部列４２及び第二発光部列４４は、Ｘ線検出器１８の背面５１側に配置されてもよい。また、第一スイッチ列４１及び第二スイッチ列４３と同様、衝立や寝台に配置されてもよい。
【００７８】
［第６実施形態］
本発明は、大型のＸ線検出器に適用することが好ましいが、大型でないＸ線検出器に適用しても同様の効果が得られる。そこで、本実施形態は、Ｘ線検出器１８に代えて、Ｘ線検出器１８と比較して長辺方向の長さが短いＸ線検出器を備えている点で、第３実施形態と異なる。また、第一スイッチ列及び第一発光部列が検出面の左右両脇に配置されている点、並びに第二スイッチ列及び第二発光部列が検出面の上方及び下方の両側に配置されている点で、第３実施形態と異なる。
【００７９】
図８に示すように、Ｘ線検出器５６が有する検出面５７は、被検者の胸部をカバーする程度の面積を有している。検出面５７の左右の脇にはそれぞれ、検出面５７の長辺方向と平行に、検出面５７に沿って、第一スイッチ列５８及び第一発光部列５９が配列されている。
【００８０】
第一スイッチ列５８は、左右双方が連動している点で第３実施形態の第一スイッチ列４１と異なるが、その他の点は第一スイッチ列４１と同様である。第一スイッチ列５８は、左右いずれかの押しボタンスイッチ３４が押下されることでオンされる。例えば、上から３個目の押しボタンスイッチ３４をオンする場合、左右いずれか一方の第一スイッチ列５８の上から３個目の押しボタンスイッチ３４を押下することになる。
【００８１】
第一発光部列５９は、左右双方が連動している点で第３実施形態の第一発光部列４２と異なるが、その他の点は第一発光部列４２と同様である。
【００８２】
検出面５７の上方及び下方にはそれぞれ、検出面５７の短辺方向と平行に、検出面５７に沿って、第二スイッチ列６０及び第二発光部列６１が配列されている。
【００８３】
第二スイッチ列６０は、上下双方が連動している点で第３実施形態の第二スイッチ列４３と異なるが、その他の点は第二スイッチ列４３と同様である。第二スイッチ列６０は、上下いずれかの押しボタンスイッチ４５が押下されることでオンされる。例えば、左から３個目の押しボタンスイッチ４５をオンする場合、上下いずれか一方の第二スイッチ列６０の左から３個目の押しボタンスイッチ４５を押下することになる。
【００８４】
第二発光部列６１は、上下双方が連動している点で第３実施形態の第二発光部列４４と異なるが、その他の点は第二発光部列４４と同様である。
【００８５】
［第７実施形態］
本実施形態は、押しボタンスイッチ３４に代えて、光センサースイッチを備えている点で、第１実施形態と異なる。
【００８６】
図９に示すように、検出面３１の左脇に配置されたスイッチ列６６は、複数の光センサースイッチ６７が等間隔に配列された構成である。各光センサースイッチ６７は、投光素子及び受光素子（ともに図示省略）を内蔵しており、投光素子からの光を受光素子で検知することでオンされる。
【００８７】
Ｘ線検出器１８のスイッチ列６６に沿った縁には、光センサースイッチ６７を覆うように、コの字形状の二つのスライダ６８（図９では、一つのスライダ６８のみを示している）が取り付けられている。スライダ６８は、スイッチ列６６に沿って形成された溝６９に嵌合する爪７０を有し、スイッチ列６６に沿ってスライド移動する。
【００８８】
スライダ６８の光センサースイッチ６７に対向する内面には、鏡面（図示省略）が設けられている。この鏡面は、投光素子からの光を受光素子に向けて反射する。このため、スライダ６８に覆われた光センサースイッチ６７は、オンされる。オンされている光センサースイッチ６７は、スライダ６８の移動により露呈することでオフとなる。
【００８９】
なお、投光素子からの光を反射させて受光素子で検知するリフレクタ型受光センサーの場合を例に説明したが、これに限定されることはない。例えば、投光素子及び受光素子の一方を光センサースイッチ側に設け、他方をスライダ側に設けるようにしてもよい。
【００９０】
また、光センサースイッチに投光素子を設けず、自然光を検知する受光素子のみを設けるようにしてもよい。この場合、各光センサースイッチは、スライダに覆われることで自然光を検知しなくなり、オンとなる。
【００９１】
［第８実施形態］
本実施形態は、押しボタンスイッチ３４に代えて、磁気センサースイッチを備えている点で、第１実施形態と異なる。
【００９２】
図１０に示すように、検出面３１の左脇に配置されたスイッチ列７６は、複数の磁気センサースイッチ７７が等間隔に配列された構成である。各磁気センサースイッチ７７は、Ｘ線検出器１８の外周面から奥まった凹部７８に設けられており、凹部７８に差し込まれた磁石７９の磁気を検知することでオンされる。オンされている磁気センサースイッチ７７は、凹部７８から磁石７９が取り外されることでオフとなる。
【００９３】
［第９実施形態］
本実施形態は、押しボタンスイッチ３４に代えて、静電容量タッチスイッチを備えている点で、第１実施形態と異なる。
【００９４】
図１１に示すように、検出面３１の左脇に配置されたスイッチ列８１は、複数の静電容量スイッチ８２が等間隔に配列された構成である。各静電容量タッチスイッチ８２は、電極シートを内蔵しており、スタッフが指で触れることで生じる静電容量の変化を検知することでオンされる。オンされている静電容量タッチスイッチ８２が再び指で触れられると、オフとなる。
【００９５】
［第１０実施形態］
本実施形態は、光センサースイッチ６７に代えて、圧力センサースイッチを備えている点で、第７実施形態と異なる。
【００９６】
図１２に示すように、検出面３１の左脇に配置されたスイッチ列８６は、複数の圧力センサースイッチ８７が等間隔に配列された構成である。各圧力センサースイッチ８７は、セラミックス製のダイアフラムを内蔵している。圧力センサースイッチ８７は、加圧によるダイアフラムの弾性変形で電気容量が変化し、この変化を検知することでオンされる。
【００９７】
また、第７実施形態の鏡面が設けられたスライダ６８に代えて、突起（図示省略）が設けられたスライダ８８が取り付けられている。その突起は、圧力センサースイッチ８７に対向する内面に設けられ、対向する位置の圧力センサースイッチ８７を加圧する。このため、スライダ８８に覆われた圧力センサースイッチ８７は、オンされる。オンされている圧力センサースイッチ８７は、スライダ８８の移動により加圧が解除されることでオフとなる。
【００９８】
［第１１実施形態］
本実施形態は、スイッチ列３２に代えて、リニアポテンショメータを備えている点で、第１実施形態と異なる。
【００９９】
図１３に示すように、検出面３１の左脇には、検出面３１の長辺方向と平行に、検出面３１に沿って、リニアポテンショメータ９１が配置されている。リニアポテンショメータ９１は、Ｘ線検出器１８に内蔵された可変抵抗器（図示省略）と、溝９２を介して可変抵抗器に接続された二つのスライダ９３とを備えている。
【０１００】
スライダ９３は、溝９２に沿ってスライド移動される。可変抵抗器の抵抗値は、スライダ９３のスライド移動によって変更される。ポテンショメータ９１は、可変抵抗器の抵抗値によって、スライダ９３の位置を検知する。そして、検知したスライダ９３の位置によって、検出面３１の検出範囲を設定する。
【０１０１】
具体的には、一方のスライダ９３の位置が検出範囲の長辺方向の一端となるとともに、他方のスライダ９３の位置が検出範囲の長辺方向の他端となる。
【０１０２】
［第１２実施形態］
本実施形態は、スイッチ列３２の押しボタンスイッチ３４で検出面３１の検出範囲を設定することに代えて、被検者に取り付けたマーカを検知することで検出面３１の検出範囲を設定する点で、第１実施形態と異なる。
【０１０３】
図１４に示すように、アーム１９には、Ｘ線発生器１５とともに、被検者に取り付けられたマーカ９７を撮影するカメラ９８が取り付けられている。カメラ９８で撮影されたマーカ９７の位置で、検出面３１の検出範囲が設定される。
【０１０４】
具体的には、複数のマーカ９７が撮影された場合、一番上のマーカ９７の高さが検出範囲の長辺方向の一端となるとともに、一番下のマーカ９７の高さが検出範囲の長辺方向の他端となる。また、一番左のマーカ９７の位置が検出範囲の短辺方向の一端となるとともに、一番左のマーカ９７の位置が検出範囲の短辺方向の他端となる。図１４では、斜線で示した箇所が検出範囲となる。被検者ではなくＸ線検出器１８にマーカ９７が取り付けられている場合であっても、マーカ９７の位置によって検出範囲が設定される。
【０１０５】
カメラ９８は、マーカ９７とともに他の指標、例えばＸ線検出器１８自体であったりＸ線検出器１８に取り付けられる他の指標を同時に撮影し、そのマーカ９７と指標の相対的な位置関係から検出面３１の検出範囲を算出し設定する。
【０１０６】
［第１３実施形態］
本実施形態は、Ｘ線発生器１５によるＸ線の照射角度が、スイッチ列３２によって設定される点で、第１実施形態と異なる。
【０１０７】
スイッチ列３２は、一箇所の押しボタンスイッチ３４がオンされるとともに、オンされた押しボタンスイッチ３４とは別にその押しボタンスイッチ３４と間隔をおいた二箇所以上連続した押しボタンスイッチ３４がオンされた場合に、Ｘ線発生器１５によるＸ線の照射角度を傾けた角度に設定する。
【０１０８】
図１５（Ａ）に示すように、一箇所の押しボタンスイッチ３４がオンされるとともに、オンされた押しボタンスイッチ３４とは別にその押しボタンスイッチ３４と間隔をおいた一箇所の押しボタンスイッチ３４がオンされた場合、Ｘ線発生器１５のＸ線の照射角度は、検出面３１に直交する角度に設定される。
【０１０９】
図１５（Ｂ）に示すように、一箇所の押しボタンスイッチ３４がオンされるとともに、オンされた押しボタンスイッチ３４とは別にその押しボタンスイッチ３４と間隔をおいた二箇所連続した押しボタンスイッチ３４がオンされた場合、Ｘ線発生器１５によるＸ線の照射角度は、検出面３１に直交する角度からαだけ傾いた角度に設定される。
【０１１０】
図１５（Ｃ）に示すように、一箇所の押しボタンスイッチ３４がオンされるとともに、オンされた押しボタンスイッチ３４とは別にその押しボタンスイッチ３４と間隔をおいた三箇所連続した押しボタンスイッチ３４がオンされた場合、Ｘ線発生器１５によるＸ線の照射角度は、検出面３１に直交する角度から２αだけ傾いた角度に設定される。
【０１１１】
このように、連続してオンされる押しボタンスイッチ３４の箇所が増える毎に、Ｘ線発生器１５によるＸ線の照射角度の傾きが大きくなるように設定される。
【０１１２】
図１５（Ｂ）及び図１５（Ｃ）は、検出範囲の下端を設定する押しボタンスイッチ３４が二箇所以上連続してオンされた場合を示しており、この場合、Ｘ線の照射角度が上方に傾くように設定される。一方、検出範囲の上端を設定する押しボタンスイッチ３４が二箇所以上連続してオンされた場合（図示省略）、Ｘ線の照射角度が下方に傾くように設定される。なお、傾く方向が上方であるか下方であるかは、適宜選択される事項であり、上記に限定されるものではない。
【０１１３】
Ｘ線の照射角度が斜めになると、被検者が被爆する範囲が広くなる。そこで、第１３実施形態のＸ線撮影システムは、検出範囲だけでなく被検者が被爆する範囲を表示するために、発光部３５の発光態様が、第１実施形態と異なる。
【０１１４】
検出範囲を設定するためにオンされた押しボタンスイッチ３４に対応する発光部３５は、第一色（例えば、緑色）で発光し、被検者が被爆する範囲の両端に位置する発光部３５は、第二色（例えば、黄色）で発光する。
【０１１５】
また、第３〜第６実施形態のように、検出面３１、５７の短辺方向の検出範囲を設定するＸ線撮影システムの場合には、上下方向のときと同様、Ｘ線の照射角度が左右方向に傾くように押しボタンスイッチ４５で設定するようにしてもよい。
【０１１６】
［第１４実施形態］
本実施形態は、立位撮影用のＸ線検出装置１６に代えて、臥位撮影用のＸ線検出装置である点で、第１実施形態と異なる。
【０１１７】
図１６に示すように、Ｘ線検出装置１０１は、天板１０２を有したベッド１０３と、天板１０２の下に配置された人の形のＸ線検出器１０４とからなる。被検者の身長に依存せず被検者の頭の位置を合わせて被検者を天板１０２上に配置することができる。Ｘ線検出器１０４は、人の形であり、被検者の体が配置されない領域を有していない。こうすることで、高価なＸ線検出器１０４を小さくすることができ、コストダウンにつながる。
【０１１８】
また、天板１０２は、その上面に、Ｘ線検出器１０４に対応する人の形のマーク１０５を有している。マーク１０５は、色を付けたり、くぼみを付けたり、線で領域を明示したりすることで表される。天板１０２上からＸ線検出器１０４は見えないが、マーク１０５により、誤ってＸ線検出器１０４から外れた場所で撮影することが防止される。
【０１１９】
スイッチ列３２は、天板１０２の側面に配置され、発光部列３３は、天板１０２の上面に配置される。
【０１２０】
また、全ての実施形態において、設定された検出範囲に対してＸ線の照射範囲を確認できるように、撮影前にコリメータで照射野を表示するようにしてもよい。被検者の体には厚みがあるため、Ｘ線検出装置１６で設定した範囲と被検者の体表に照射される範囲に微妙なずれを生じることがあるが、これを確認するのに有用である。
【符号の説明】
【０１２１】
１１  Ｘ線撮影システム
１５  Ｘ線発生器
１６、１０１  Ｘ線検出装置
１８、５６、１０４  Ｘ線検出器
２８  コントローラ
２９  端末
３１、５７  検出面
３２、６６、７６、８１、８６  スイッチ列
３３  発光部列
３４  押しボタンスイッチ
３５  発光部
４１、５８  第一スイッチ列
４２、５９  第一発光部列
４３、６０  第二スイッチ列
４４、６１  第二発光部列
４５  押しボタンスイッチ
４６  発光部
５１  背面
６７  光センサースイッチ
７７  磁気センサースイッチ
８２  静電容量タッチスイッチ
８７  圧力センサースイッチ
９１  リニアポテンショメータ
９３  スライダ
９７  マーカ
９８  カメラ
【図１】
2011062345.tif 000003
【図２】
2011062345.tif 000004
【図３】
2011062345.tif 000005
【図４】
2011062345.tif 000006
【図５】
2011062345.tif 000007
【図６】
2011062345.tif 000008
【図７】
2011062345.tif 000009
【図８】
2011062345.tif 000010
【図９】
2011062345.tif 000011
【図１０】
2011062345.tif 000012
【図１１】
2011062345.tif 000013
【図１２】
2011062345.tif 000014
【図１３】
2011062345.tif 000015
【図１４】
2011062345.tif 000016
【図１５】
2011062345.tif 000017
【図１６】
2011062345.tif 000018